(57)【特許請求の範囲】
【請求項１】
訓練の為の文書データを文書データ記憶部に記憶しておき、所定の表示操作がなされた際に前記文書データ記憶部から該当する文書データを読み出して所定の表示部に表示するデータ表示装置であって、
前記文書データ記憶部に記憶した各文書データにそれぞれ対応する訓練用画像を含む訓練データを記憶する訓練データ記憶手段と、
前記表示部に対する前記文書データの表示後に、前記訓練データ記憶手段から該文書データに対応する訓練データを読み出し、該訓練データに含まれる訓練用画像を前記表示部に表示処理する訓練データ表示処理手段とを備え、
前記訓練データ記憶手段において、前記訓練用画像は該画像内の一部である安全衛生上不適切な部分を含んでおり、前記訓練データは前記不適切な部分を指定する指定領域データを含んでおり、
前記訓練データ表示処理手段は、前記表示部に表示した訓練用画像において前記指定領域データに指定される指定領域が選択された場合に、前記訓練用画像にかかる訓練が終了したと判定して前記表示部に表示する画面の切替制御を行うことを特徴とするデータ表示装置。
【請求項２】
前記訓練データは、前記文書データに対応する複数の前記訓練用画像を含み、前記訓練データ表示処理手段は、前記訓練用画像の前記指定領域が選択された場合に前記訓練用画像にかかる訓練が終了したと判定し、前記複数の訓練用画像のうち、訓練を終了していない訓練用画像を前記表示部に表示することを特徴とする請求項１に記載のデータ表示装置。
【請求項３】
前記訓練データは、前記訓練用画像に対応する複数の指定領域データを含み、前記訓練データ表示処理手段は、前記複数の指定領域データによって指定される複数の指定領域が全て選択された場合に、前記訓練用画像にかかる訓練が終了したと判定することを特徴とする請求項１または２記載のデータ表示装置。
【請求項４】
前記訓練データは、前記訓練用画像にかかる訓練の終了条件を指定する終了条件データを含み、前記訓練データ表示処理手段は、前記終了条件データによって指定される終了条件が満たされた場合に、前記訓練用画像にかかる訓練が終了したと判定することを特徴とする請求項１または２に記載のデータ表示装置。
【請求項５】
被訓練者に関する被訓練者情報を記憶する被訓練者情報記憶手段と、通信回線を通じて管理端末に接続される通信手段とをさらに備え、前記通信手段は、前記訓練用画像にかかる訓練が終了した場合に、前記被訓練者情報を前記管理端末に送信することを特徴とする請求項１〜４のいずれか一つに記載のデータ表示装置。
【請求項６】
前記訓練データは、前記訓練用画像に対応し、前記訓練用画像の解説を記載した解説データをさらに含み、前記訓練データ表示処理手段は、前記指定領域が選択された場合に、前記訓練用画像に対応する解説データを提示することを特徴とする請求項１〜５のいずれか一つに記載のデータ表示装置。
【発明の詳細な説明】
【０００１】
【発明の属する技術分野】
訓練の為の文書データを文書データ記憶部に記憶しておき、所定の表示操作がなされた際に前記文書データ記憶部から該当する文書データを読み出して所定の表示部に表示するデータ表示装置、データ表示方法およびにその方法をコンピュータに実行させるプログラムを記録したコンピュータ読み取り可能な記録媒体に関し、特に、訓練実施者および被訓練者が負担する労力を軽減しつつ、被訓練者の理解を確認することで、訓練効果を向上することができるデータ表示装置、データ表示方法およびその方法をコンピュータに実行させるプログラムを記録したコンピュータ読み取り可能な記録媒体に関するものである。
【０００２】
【従来の技術】
従来、安全管理の指導を行う安全教育や、機材の操作および管理の訓練などにおいては、安全教育資料や機材説明資料をまとめたマニュアルの配布や、講義などが行われていた。このマニュアルを配布する場合、マニュアルに避難経路の確保、設備機器の安全確認などに区分された大まかな項目と、各項目の具体的な事例や説明を記載することが一般的である。また、講義などを行う場合、受講者を一箇所に集めて資料を配布し、講演者が具体的な事例を説明することが一般的である。
【０００３】
しかしながら、マニュアルを配布する場合、被訓練者がマニュアルを精読したか、また、その内容を理解したかを判定することができない。また、講義を行う場合、被訓練者、すなわち受講者が講義内容を聞いていたか、その内容を理解したかを判定することができない。被訓練者、受講者の理解を確認する為には試験などを行う必要があり、被訓練者および訓練実施者双方に労力を要する。
【０００４】
そこで、訓練や指導の方式として、マニュアルを電子化した電子データを表示するデータ表示装置を用い、データ表示装置上でマニュアルの閲覧を行う方式が考案された。
【０００５】
【発明が解決しようとする課題】
しかしながら、データ表示装置によってマニュアルの閲覧を行った場合、紙媒体のマニュアル作成、マニュアルの配布などにおいて訓練実施者の労力を軽減することができるが、被訓練者がマニュアルの具体的な事例を精読し、内容を理解したかを判定することができない点において紙に印刷されたマニュアルと変わることがない。また、データ表示装置上で試験を行うようにすれば、被訓練者の理解を確認することができ、試験結果の集計などにおいて訓練実施者の労力を軽減することができるが、試験を受けるという被訓練者に対する負担は、紙媒体のマニュアルと同様に発生する。
【０００６】
また、安全管理などの訓練は、訓練内容を実際の作業現場において実施することができて初めて意味をもつのであるが、マニュアル配布や講義などの訓練形態は大人数に同一の内容を提示する為、その内容は概念的、一般的となり、各被訓練者に対応した具体的な内容とすることができないという問題があった。この問題は、データ表示装置によってマニュアルの閲覧を行った場合においても同様に発生する。
【０００７】
本発明は上記従来技術の欠点に鑑みてなされたものであって、訓練実施者および被訓練者が負担する労力を軽減しつつ、被訓練者の理解を確認することで、訓練効果を向上することができるデータ表示装置、データ表示方法およびその方法をコンピュータに実行させるプログラムを記録したコンピュータ読み取り可能な記録媒体を提供することを目的とする。
【０００８】
【課題を解決するための手段】
上述した課題を解決し、目的を達成するため、第１の観点にかかる発明は、訓練の為の文書データを文書データ記憶部に記憶しておき、所定の表示操作がなされた際に前記文書データ記憶部から該当する文書データを読み出して所定の表示部に表示するデータ表示装置であって、前記文書データ記憶部に記憶した各文書データにそれぞれ対応する訓練用画像を含む訓練データを記憶する訓練データ記憶手段と、前記表示部に対する前記文書データの表示後に、前記訓練データ記憶手段から該文書データに対応する訓練データを読み出し、該訓練データに含まれる訓練用画像を前記表示部に表示処理する訓練データ表示処理手段と、を備えたことを特徴とする。
【０００９】
この第１の観点にかかる発明によれば、文書データの表示後に、各文書データに対応する訓練データを読み出して、訓練用データに含まれる訓練用画像を表示することができる。
【００１０】
また、第２の観点にかかる発明は、第１の観点にかかる発明において、前記訓練データは、前記訓練用画像の画像内の一部を指定する指定領域データを含み、前記訓練データ表示処理手段は、前記表示部に表示した訓練用画像において前記指定領域データに指定される指定領域が選択された場合に、前記訓練用画像にかかる訓練が終了したと判定して前記表示部に表示する画面の切替制御を行うことを特徴とする。
【００１１】
この第２の観点にかかる発明によれば、訓練用画像に指定領域を設定し、被訓練者が訓練用画像の指定領域を選択した場合に訓練用画像にかかる訓練が終了したと判定して次の画面に切替えることで、被訓練者の理解を確認することができる。
【００１２】
また、第３の観点にかかる発明は、第２の観点にかかる発明において、前記訓練データは、前記文書データに対応する複数の前記訓練用画像を含み、前記訓練データ表示処理手段は、前記訓練用画像の前記指定領域が選択された場合に前記訓練用画像にかかる訓練が終了したと判定し、前記複数の訓練用画像のうち、訓練を終了していないの訓練用画像を前記表示部に表示することを特徴とする。
【００１３】
この第３の観点にかかる発明によれば、訓練データ記憶手段に複数の訓練用画像を記憶し、被訓練者が訓練用画像の指定領域を選択した場合に訓練用画像にかかる訓練が終了したと判定して次の訓練用画像を表示することで、訓練内容を多様化させることができる。
【００１４】
また、第４の観点にかかる発明は、第２または第３の観点にかかる発明において、前記訓練データは、前記訓練用画像に対応する複数の指定領域データを含み、前記訓練データ表示処理手段は、前記複数の指定領域データによって指定される複数の指定領域が全て選択された場合に、前記訓練用画像にかかる訓練が終了したと判定することを特徴とする。
【００１５】
この第４の観点にかかる発明によれば、訓練用画像に複数の指定領域を設定し、被訓練者が指定領域の全てを選択した場合に訓練用画像にかかる訓練が終了したと判定してつぎの画面に切替えることで、被訓練者の理解を確認することができる。
【００１６】
また、第５の観点にかかる発明は、第２または第３の観点にかかる発明において、前記訓練データは、前記訓練用画像にかかる訓練の終了条件を指定する終了条件データを含み、前記訓練データ表示処理手段は、前記終了条件データによって指定される終了条件が満たされた場合に、前記訓練用画像にかかる訓練が終了したと判定することを特徴とする。
【００１７】
この第５の観点にかかる発明によれば、訓練用画像にかかる訓練が終了したと判定するための終了条件を設定し、被訓練者が訓練用画像内の領域を選択することで終了条件が満たされた場合に訓練用画像にかかる訓練が終了したと判定することで、訓練の難易度を調節することができる。
【００１８】
また、第６の観点にかかる発明は、第１〜第５の観点にかかる発明において、被訓練者に関する被訓練者情報を記憶する被訓練者情報記憶手段と、通信回線を通じて管理端末に接続される通信手段と、をさらに備え、前記通信手段は、前記訓練用画像にかかる訓練が終了した場合に、前記被訓練者情報を前記管理端末に送信することを特徴とする。
【００１９】
この第６の観点にかかる発明によれば、訓練用画像にかかる訓練が終了した場合に、被訓練者情報記憶手段に登録した被訓練者に関する情報を管理端末に送信することで、訓練の実施状況を管理端末によって管理することができる。
【００２０】
また、第７の観点にかかる発明は、第２〜６の観点にかかる発明において、前記訓練データは、前記訓練用画像に対応し、前記訓練用画像の解説を記載した解説データをさらに含み、前記訓練データ表示処理手段は、前記指定領域が選択された場合に、前記訓練用画像に対応する解説データを提示することを特徴とする。
【００２１】
この第７の観点にかかる発明によれば、訓練用画像の指定領域が選択された場合に、被訓練者に訓練用画像に関する解説を表示することで、訓練効果を向上させることができる。
【００２２】
また、第８の観点にかかる発明は、訓練の為の文書データを文書データ記憶部に記憶しておき、所定の表示操作がなされた際に前記文書データ記憶部から該当する文書データを読み出して所定の表示部に表示するデータ表示方法であって、前記表示部に対する前記文書データの表示後に、前記文書データ記憶部に記憶した各文書データにそれぞれ対応する訓練用画像を含む訓練データを記憶する訓練データ記憶手段から前記訓練データを読み出し、該訓練データに含まれる訓練用画像を前記表示部に表示処理する訓練データ表示工程を含むことを特徴とする。
【００２３】
この第８の観点にかかる発明によれば、文書データの表示後に、各文書データに対応する訓練データを読み出して、訓練用データに含まれる訓練用画像を表示することができる。
【００２４】
また、第９の観点にかかる発明は、第８の観点にかかる発明において、前記訓練用画像の画像内の一部である指定領域に対する選択を検出する領域選択検出工程と、前記領域選択検出工程が前記指定領域に対する選択を検出した場合に、前記訓練用画像にかかる訓練が終了したと判定し、前記表示手段に表示する画面の切替を行う訓練終了判定工程と、を含むことを特徴とする。
【００２５】
この第９の観点にかかる発明によれば、訓練用画像に指定領域を設定し、訓練者が訓練用画像の指定領域を選択した場合に訓練用画像にかかる訓練が終了したと判定して次の画面に切替えることで、被訓練者の理解を確認することができる。
【００２６】
また、第１０の観点にかかる発明は、第９の観点にかかる発明において、前記訓練終了判定工程は、前記訓練用画像が有する複数の指定領域が全て選択された場合に前記訓練用画像にかかる訓練が終了したと判定することを特徴とする。
【００２７】
この第１０の観点にかかる発明によれば、訓練用画像に複数の指定領域を設定し、被訓練者が指定領域の全てを選択した場合に訓練用画像にかかる訓練が終了したと判定してつぎの画面に切替えることで、被訓練者の理解を確認することができる。
【００２８】
また、第１１の観点にかかる発明は、第９または第１０の観点にかかる発明において、前記訓練終了判定工程は、前記訓練用画像にかかる訓練の終了を判定した場合に、前記表示手段に新たな訓練用画像を表示させることを特徴とする。
【００２９】
この第１１の観点にかかる発明によれば、訓練データ記憶手段に複数の訓練用画像を記憶し、被訓練者が訓練用画像の指定領域を選択した場合に訓練用画像にかかる訓練が終了したと判定して次の訓練用画像を表示することで、訓練内容を多様化させることができる。
【００３０】
また、第１２の観点にかかる発明は、第８〜１１の観点にかかる発明において、前記訓練終了判定工程が前記訓練用画像にかかる訓練の終了を判定した場合に、通信回線を介して接続された管理端末に被訓練者に関する情報を送信する通信工程をさらに含むことを特徴とする。
【００３１】
この第１２の観点にかかる発明によれば、訓練用画像にかかる訓練が終了した場合に、被訓練者情報記憶手段に登録した被訓練者に関する情報を管理端末に送信することで、訓練の実施状況を管理端末によって管理することができる。
【００３２】
また、第１３の観点にかかる発明は、第９〜１２の観点にかかる発明において、前記領域選択検出工程が前記指定領域に対する選択を検出した場合に、前記訓練用画像に対応し、当該訓練用画像の解説を記載した解説データを表示する解説データ表示工程をさらに含むことを特徴とする。
【００３３】
この第１３の観点にかかる発明によれば、訓練用画像の所定の領域が選択された場合に、被訓練者に訓練用画像に関する解説を表示することで、訓練効果を向上させることができる。
【００３４】
また、第１４の観点にかかる発明は、第８〜第１３の観点にかかる発明に記載された方法をコンピュータに実行させるプログラムを記録したことを特徴とする。
【００３５】
この第１４の観点にかかる発明によれば、第８〜第１３の観点にかかる発明に記載された方法を、コンピュータ上で実行させることができる。
【００３６】
【発明の実施の形態】
以下、図面を参照して本発明の実施の形態にかかるデータ表示装置、データ表示方法およびその方法をコンピュータに実行させるプログラムを記録したコンピュータ読み取り可能な記録媒体について詳細に説明する。
【００３７】
この発明にかかるデータ表示装置は、訓練内容に関する文章データを表示部に表示する説明過程と、表示部に表示した画像をもとに訓練を行う訓練過程とを実行する。訓練過程では、不適切な個所を含む画像を表示部に表示し、被訓練者がこの画像内の不適切な個所を選択した場合に次の画面に進むようにする。したがって、被訓練者は訓練を終了するために、自発的に画像の中の不適切な個所を見出すことが要求されることとなる。また、不適切な箇所を表示し、選択させるかわりに、テーマに沿った適切な箇所を含む画像を表示部に表示し、被訓練者がこの画像内の適切な箇所を選択した場合に次の画面に進むようにしてもよい。この場合では、被訓練者は、訓練を終了するために、自発的に画像の中の適切な箇所を見つけ出すことが要求されることとなる。
【００３８】
図４は、訓練過程に用いる訓練画面を示す図である。図４において、訓練画面３１は、その内部に訓練用画像表示領域３３を備えている。また、訓練画面３１は、訓練用画像表示領域３３の内部に指定領域３４を備えている。この指定領域３４は、被訓練者によって選択された場合に次の画面への切り替えを行う仮想的なスイッチとして機能する。
【００３９】
図４において、訓練用画像表示領域３３は、訓練用画像１１１を表示している。訓練用画像１１１は、プーリーの回転部を示す図である。一般に、プーリーの回転部は、作業者の安全確保のためにガードを設けることが必要であるが、訓練用画像１１１は、回転部のガードを外したプーリーの画像である。指定領域３４は、訓練用画像１１１のガードを外した回転部に対応する個所に設ける。したがって、表示部に訓練画面３１が表示された場合に、指定領域３４を選択し、つぎの画面に進むためには、被訓練者は、訓練用画像１１１の中から不適切な個所、すなわちガードを外した回転部を見つけ出すことが必要となる。なお、指定領域３４は、訓練用画像表示領域３３に表示する訓練用画像に対応付ける必要があるため、訓練用画像と、それに対応する指定領域の位置を示す指定領域データとを関連付けて記憶させておく。なお、図４においては、指定領域３４を破線によって示すが、実際の表示画像内では破線を表示しない。したがって、被訓練者が破線の有無を判断材料とすることなく、画像の示す内容から指定領域を見出すようにすることができる。
【００４０】
被訓練者が指定領域３４を指定した場合、つぎの画面として新たな訓練用画像を表示する。この新たな訓練用画像は、上述の訓練用画像１１１と同様に、不適切な個所を含む画像であり、不適切な個所に対応した指定領域を有する。このようにして訓練用画像を順次表示し、被訓練者にその都度指定領域を探させることで、訓練過程を進行させる。
【００４１】
図１は、この発明の訓練を行うデータ表示装置１の概要構成を示す図である。図１において、データ表示装置１は、入力デバイス２および表示部３と接続される。表示部２は、CRTや液晶ディスプレイなどによって構成されるモニタであり、データ表示装置１から出力される画面データの表示を行う。入力デバイス２は、表示部３の画面内の任意の点や領域を指定可能なポインティングデバイスを含む。このポインティングデバイスは、たとえばマウスなどによって実現される。
【００４２】
また、データ表示装置１は、その内部に入力部１１、制御部１２、文書データ表示処理部１３、訓練データ表示処理部１４および記憶部１５を備える。入力部１１は、入力デバイス２に接続され、入力デバイス２から入力された入力信号を制御部１２に出力する。制御部１２は、入力部１１から入力された入力信号をもとに、記憶部１５に記憶されたデータを読み出し、文書データ表示処理部１３または訓練データ表示処理部１４に出力する。また、制御部１２は、文書データ表示処理部１３および訓練データ表示処理部１４から入力された画面データを表示部３に出力する。記憶部１５は、その内部に文書データ記憶領域１５ａおよび訓練データ記憶領域１５ｂを備える。文書データ記憶領域１５ａは、訓練の内容を説明する説明過程に用いる文書データを記憶する。この文書データは、従来のマニュアルや講義の際に配布する冊子に対応し、訓練について概念的、一般的な説明を行うためのデータである。また、訓練データ記憶領域１５ｂは、訓練過程おいて用いられる訓練用画像と、訓練用画像に対応する指定領域データとを関連付けて記憶する。
【００４３】
文書データ表示処理部１３は、説明過程において、制御部１２が文書データ記憶領域１５ａから読み出した文書データをもとに、表示部３に表示する画面である説明画面を構成し、画面データとして制御部１２に出力する。また、訓練データ表示処理部１４は、訓練過程において、制御部１２が訓練データ記憶領域１５ｂから読み出した訓練用画像および指定領域データをもとに訓練画面を構成し、画面データとして制御部１２に出力する。
【００４４】
つぎに、訓練データ記憶領域１５ｂに記憶される訓練データについて説明する。訓練データ記憶領域１５ｂは、訓練用画像を訓練に関するテーマに関連付けて記憶する。さらに、訓練データ記憶領域１５ｂは、訓練用画像にそれぞれ指定領域データを関連付けて記憶する。
【００４５】
図２は、訓練データ記憶領域１５ｂに記憶される訓練データのデータ構造を示す図である。図２において、訓練データ記憶領域１５ｂは、訓練テーマ１１０および訓練テーマ１２０を記憶している。ここで、訓練テーマ１１０，１２０は、文書データ記憶領域１５ａに記憶される各文書データに対応し、文書データに記述される訓練内容と関連付けられている。なお、ここでは、訓練テーマ１１０の示す内容は、「回転部に対するガードの設置」であり、訓練テーマ１２０の示す内容は、「避難経路の確保」である。
【００４６】
さらに、訓練データ記憶領域１５ｂは、訓練テーマ１１０に対応する訓練用画像として、訓練用画像１１１，１１２，１１３を記憶している。この訓練用画像１１１，１１２，１１３は、被訓練者に提示し、その画像内の不適切な部分を選択させて訓練を行うための画像である。従って、訓練用画像１１１，１１２，１１３には、それぞれ「不適切な部分」を有する。ここで、訓練用画像１１１は、「ガードの無いプーリー画像」であり、ガードの無い回転部が「不適切な部分」に相当する。また、訓練用画像１１２は、「ガードの無い旋盤画像」であり、ガードの無い回転部が「不適切な部分」に相当する。同様に、訓練用画像１１３は、「ガードの無い鎖伝動装置画像」であり、ガードの無い回転部が「不適切な部分」に相当する。
【００４７】
さらに、訓練用画像１１１、すなわち「ガードの無いプーリー画像」には、指定領域データ１１１ａが関連付けられて記憶される。指定領域データ１１１ａは、訓練用画像１１１内の不適切な部分に対応する領域を指定するデータである。同様に、訓練用画像１１２，１１３には、それぞれの不適切な部分に対応する領域を指定する指定領域データ１１２ａおよび指定領域データ１１３ａが関連付けられて記憶される。
【００４８】
また、訓練データ記憶領域１５ｂは、訓練テーマ１２０に対応する訓練用画像として、訓練用画像１２１，１２２を記憶している。この訓練用画像１２１，１２２は、訓練用画像１１１〜１１３と同様に、それぞれ「不適切な部分」を有する。ここで、訓練用画像１２１は、「非常口が塞がれた画像」であり、非常口を塞ぐ物が「不適切な部分」に相当する。また、訓練用画像１２２は、「非常灯が消灯している画像」であり、消灯している非常灯が「不適切な部分」に相当する。
【００４９】
さらに、訓練用画像１２１、すなわち「非常口が塞がれた画像」には、指定領域データ１２１ａが関連付けられて記憶される。同様に、訓練用画像１２２には、不適切な部分に対応する領域を指定する指定領域データ１２２ａが関連付けられて記憶される。
【００５０】
つぎに、図３〜図５を参照し、データ表示装置１の動作について説明する。まず、被訓練者がデータ表示装置１を起動した場合、データ表示装置１は説明過程を実施する。この説明過程では、制御部１２は、文書データ記憶領域１５ａから文書データを読み出し、文書データ表示処理部１３に出力する。文書データ表示処理部１３は、制御部１２が読み出した文書データをもとに説明画面を構成し、表示部３に表示させる。
【００５１】
図３は、文書データ表示処理部１３が構成する説明画面を示す図である。図３において、説明画面２１は、文書データ表示領域２２、訓練開始ボタン２３、キャンセルボタン２４を有する。文書データ表示領域２２は、文書データ記憶部１５ａから読み出した文書データを表示する領域であり、ここでは、項目１として「全ての回転部や可動部には、完全なエンクロージャまたは調節可能なガードを設けなければならない。」、項目２として「避難経路は常に確保しなければならない。」が表示される。さらに、項目１の下方に、項目１の具体的な事例および説明として、項目１−１「回転部の例としては以下のものが挙げられる」、項目１−２「ガードは回転部や可動部の背後まで設けること」および項目１−３「ガードが提供する保護機能を損なう修正を行わないこと」が表示される。さらに、項目１−１の下方には、回転部を有する装置の具体例として、プーリー、旋盤、鎖伝導装置が列挙されている。
【００５２】
また、項目２の下方に、項目２の具体的な事例および説明として、項目２−１「非常口の近辺に物を置かないこと。」および項目２−２「非常灯は常に点灯させておくこと。」が表示されている。ここで、文書データ表示領域２２は、スクロールバーを設けることで、文書データの量に関わらず全ての文書データを閲覧可能としている。なお、この文書データが多い場合には、複数の説明画面を設けて、順次表示するようにしてもよい。また、訓練開始ボタン２３は、入力デバイス２によってこの領域内を選択することで訓練過程を開始する仮想的なボタンとして機能する。さらに、キャンセルボタン２４は、この領域内を選択することで訓練過程を開始せずに説明過程を終了する仮想的なボタンとして機能する。
【００５３】
したがって、被訓練者は、説明画面２１によって文書データを全て閲覧し、訓練過程を開始するか、訓練過程を開始せずに終了するかを選択することができる。
【００５４】
つぎに、データ表示装置１によって実行される訓練過程について説明する。図４は、訓練データ表示処理部１３が構成する訓練画面を示す図である。図４において、訓練画面３１は、指示文表示領域３２および訓練用画像表示領域３３を有する。指示文表示領域３２は、被訓練者に訓練の方法を指示する文章を表示する。ここでは、「下の写真の中で安全衛生上不適切な部分を探し、クリックして下さい。」と表示されている。
【００５５】
また、訓練用画像表示領域３３は、訓練用データ記憶領域１５ｂに記憶されている訓練用画像を表示する。図４では、訓練用画像表示領域３３は、訓練用画像１１１を表示している。訓練用画像１１１は、プーリーの回転部を示す画像である。この訓練用画像１１１が示すプーリーは、回転部のガードを外しており、このガードを外した回転部が訓練用画像１１１の「不適切な部分」である。さらに、訓練画面３１は、訓練用画像表示領域の中に指定領域３４を有する。この指定領域３４の位置は、訓練用画像表示領域３３に表示した訓練用画像に対応する指定領域データによって決定する。例えば、訓練用画像１１１を訓練用画像表示領域３３に表示した場合、指定領域３４の位置は指定領域データ１１１ａによって決定する。上述したように、指定領域データ１１１ａは、訓練用画像１１１内の不適切な部分に対応する領域であるので、指定領域３４の位置は、訓練用画像１１１内の不適切な部分、すなわちガードを外したプーリーの回転部に設定されることとなる。また、訓練用画像表示領域３３に訓練用画像１１２を表示している場合、指定領域３４は、指定領域データ１１２ａによって決定し、訓練用画像表示領域３３に訓練用画像１１３を表示している場合、指定領域３４は、指定領域データ１１２ａによって決定する。すなわち、訓練画面における指定領域の位置は、表示される訓練用画像によって変化する。
【００５６】
さらに、指定領域３４は、被訓練者によって選択された場合に次の画面への切り替えを行う仮想的なスイッチとして機能する。したがって、被訓練者は、表示部３に表示された訓練用画像の中から不適切な部分を探し出し、その不適切な部分を選択することで次の画面へ進むことができる。なお、ポインティングデバイスなどによって画面内の選択を行う場合、画面上にポインタを表示し、ポインティングデバイスの操作に対応してポインタを移動させることが一般的であるが、このポインタの位置が指定領域の近傍となった場合にポインタの形状を変化させ、指定領域の場所を示唆するようにしてもよい。
【００５７】
つぎに、図５を参照し、訓練過程における訓練データ表示処理部１４の動作について説明する。なお、説明の重複を防ぐために、訓練データ記憶領域に記憶されている訓練用画像が、訓練用画像１１１，１１２の２つである場合について説明する。図５は、訓練過程における訓練データ表示処理部１４の動作を示すフローチャートである。訓練データ表示処理部１４は、まず、訓練データ記憶領域１５ｂから訓練用画像１１１を読み出し、表示部３に表示する（ステップＳ１０１）。つぎに、入力デバイス２によって、指定領域データ１１１ａに対応する部分が選択されたか否かを判定する（ステップＳ１０２）。指定領域データ１１１ａに対応する領域が選択されていない場合（ステップＳ１０２，Ｎｏ）、訓練データ表示処理部１３は、再度指定領域データ１１１ａに対応する部分が選択されたか否かの判定を行う。
【００５８】
指定領域データ１１１ａに対応する領域が選択された場合（ステップＳ１０２，Ｙｅｓ）、訓練データ表示処理部１４は、訓練用画像１１１にかかる訓練が終了したと判定し、訓練データ記憶領域１５ｂから訓練用画像１１２を読み出して表示部３に表示する（ステップＳ１０３）。つぎに、入力デバイス２によって、指定領域データ１１２ａに対応する部分が選択されたか否かを判定する（ステップＳ１０４）。指定領域データ１１１ａに対応する領域が選択されていない場合（ステップＳ１０４，Ｎｏ）、訓練データ表示処理部１４は、再度指定領域データ１１２ａに対応する部分が選択されたか否かの判定を行う。
【００５９】
指定領域データ１１１ａに対応する領域が選択された場合（ステップＳ１０２，Ｙｅｓ）、訓練データ表示処理部１４は、訓練用画像１１２にかかる訓練が終了したと判定し、訓練過程を終了する。なお、ここでは、訓練用画像１１１，１１２について述べたが、訓練用画像の数を増やす場合には、訓練用画像１１２にかかる訓練が終了した（ステップＳ１０２，Ｙｅｓ）後、続けてほかの訓練用画像を表示させるようにすればよい。
【００６０】
以上の説明における訓練過程では、不適切な部分のある訓練用画像を表示し、不適切な部分が選択された段階で次の訓練用画像を表示していたが、訓練用画像、訓練用画像にかかる訓練について解説する解説データをさらに表示するようにし、訓練効果をさらに向上させるようにしてもよい。
【００６１】
解説データを表示する場合の訓練データ記憶領域のデータ構造を図６に示す。図６における訓練データ構造では、各訓練用画像に解説データを関連付けて記憶するようにしている。その他のデータ構造は、図２に示したデータ構造と同一であり、同一の構成要素には同一の符号を付している。
【００６２】
図６において、訓練用画像１１１には解説データ１１１ｂが関連付けられている。また、訓練用画像１１２には解説データ１１１ｂが関連付けられている。同様に、訓練用画像１１３，１２１，１２２には、それぞれ解説データ１１３ｂ，１２１ｂ，１２２ｂが関連付けられている。これらの解説データ１１１ｂ，１１２ｂ，１１３ｂ，１２１ｂ，１２２ｂは、画像データやテキストデータなど、訓練用画像の解説に用いることのできる任意のデータである。
【００６３】
つぎに、この解説データを、訓練用画像の不適切な部分を解消した適切な画像データとした場合の解説データの提示方法について説明する。解説データの提示方法として、例えば、訓練用画像の不適切な部分が選択された後に適切な画像を表示するようにすればよい。図７は、訓練用画像の不適切な部分が選択された後に表示する解説画面を示す図である。図７において、解説画面４１は、解説文表示領域４２および解説画像表示領域４３を設けている。ここで、解説画像表示領域４３は、訓練用画像の不適切な部分を改めた適切な画像を表示する。また、解説文表示領域４２は、訓練用画像の不適切な部分を文章によって解説している。
【００６４】
また、訓練画面に訓練用画像と解説画像とを同時に表示し、不適切な部分を二つの画像の比較によって見つけ出すようにしてもよい。図８は、訓練用画像と解説データを同時に表示する場合の訓練画面を示す図である。図８において、訓練画面５１は、指示文表示領域３２と、訓練用画像表示領域５２に加えて、解説画像表示領域５３を設けている。その他の構成は、図４に示した訓練画面と同様であり、同一の構成要素には同一の符号を付している。
【００６５】
さらに、訓練用画像の不適切な部分が選択された場合に、訓練画面上に文章などによって解説データを表示してもよい。図９は、解説データを表示した訓練画面を示す図である。図９において、訓練画面６１は、訓練用画像表示領域６２の内部に解説データ表示領域６３を設けている。この解説データ表示領域６３は、指定領域の選択前には表示せず、指定領域の選択後に表示する。なお、この図９では、解説データ表示領域６３に文章による解説データを表示しているが、解説データ表示領域６３に表示する解説データは、画像を用いても良いし、画像と文章の組合せとしてもよい。ここで、解説データ表示領域６３を表示する場合、指定領域の選択によって解説データを表示した後、所定の確認動作によって次の画面に進むようにする。この所定の確認動作としては、解説データ表示領域６３をポインティングデバイスによって再度選択することを確認動作として用いても良いし、解説データ表示領域６３に次の画面に進む為の仮想的なスイッチを設けても良い。また、解説データ表示領域６３の選択後に再度指定領域を選択することを確認動作としても良い。
【００６６】
さらに、ポインティングデバイスが指定領域の近傍に来た場合に、解説データ表示領域６３を表示するようにしても良い。この場合、解説データの表示は、指定領域の存在およびその大まかな場所を被訓練者に示す機能を備えることとなり、被訓練者が指定領域を見出すことを支援することができる。したがって、ポインティングデバイスが指定領域の近傍に来た時に解説データを表示する場合、被訓練者は、画像の内容および解説データをもとに指定領域を見出し、指定領域を選択することでつぎの画面に進むことができる。
【００６７】
このように、訓練過程において、訓練用画像および訓練用画像にかかる訓練について解説する解説データを表示することで、訓練効果を向上させることができる。
【００６８】
また、上述の説明においては、各訓練用画像に対して単一の指定領域を設けていたが、指定領域データに複数の領域を記憶させ、ひとつの訓練用画像に対して複数の指定領域を設けるようにしてもよい。この場合、複数の指定領域の全てが選択された場合に訓練用画像にかかる訓練が終了したと判定してもよいし、所定の終了条件を設定し、終了条件を満たした場合に訓練用画像にかかる訓練が終了したと判定するようにしてもよい。この終了条件は、たとえば複数の指定領域のうち、一定数以上の指定領域が選択された場合としてもよいし、特定の指定領域を含み、かつ一定数以上の指定領域が選択された場合としてもよい。
【００６９】
複数の指定領域の全てが選択された場合に訓練用画像にかかる訓練が終了したと判定する場合の訓練データ表示処理部１４の動作を図１０に示す。なお、ここでは訓練用画像１１１に対して複数の指定領域を設けた場合について説明する。図１０において、訓練データ表示処理部１４は、訓練データ記憶領域１５ｂから訓練用画像１１１を読み出し、表示部３に表示する（ステップＳ２０１）。つぎに、入力デバイス２によって、指定領域データ１１１ａに含まれる領域が選択されたか否かを判定する（ステップＳ２０２）。指定領域データ１１１ａに対応する領域が選択されていない場合（ステップＳ２０２，Ｎｏ）、訓練データ表示処理部１３は、再度指定領域データ１１１ａに対応する部分が選択されたか否かの判定を行う（ステップＳ２０２）。
【００７０】
指定領域データ１１１ａに含まれる領域が選択された場合（ステップＳ２０２，Ｙｅｓ）、訓練データ表示処理部１４は、選択された領域を記録する（ステップＳ２０３）。さらに、訓練データ表示処理部１４は、指定領域データ１１１ａに含まれる全ての領域が選択されたか否かを判定する（ステップＳ２０４）。指定領域データ１１１ａに対応する領域に、選択されていない領域がある場合（ステップＳ２０４，Ｎｏ）、訓練データ表示処理部１４は、再度指定領域データ１１１ａに対応する部分が選択されたか否かの判定を行う（ステップＳ２０２）。
【００７１】
指定領域データ１１１ａに対応する領域が全て選択された場合（ステップＳ２０４，Ｙｅｓ）、訓練データ表示処理部１４は、訓練用画像１１１にかかる訓練が終了したと判定し動作を終了する。なお、訓練データ記憶領域に訓練用画像１１１以外に訓練用画像が存在する場合には、訓練データ表示処理部は、続けて次の訓練用画像を表示し、訓練用画像１１１と同様の処理を行う。
【００７２】
また、データ表示装置に、被訓練者情報登録部および通信部を設け、通信部をネットワークに接続し、ネットワークを介して管理端末とデータ送受信を行うようにしてもよい。図１１は、ネットワーク通信機能を有するデータ表示装置の概要構成を示す図である。図１１において、データ表示装置７１は、制御部７２に被訓練者情報登録部７３を接続し、被訓練者情報登録部７３に通信部７４接続している。その他の構成は、上述のデータ通信装置１と同様であり、同一の構成要素には同一の符号を付している。
【００７３】
また、通信部７４は、ネットワーク７５を介して管理端末７６に接続される。さらに、データ表示装置７１と同様の構成を有するデータ表示装置８１およびデータ表示装置８４がネットワーク７５を介して管理端末７６に接続される。
【００７４】
このように、複数のデータ表示装置を管理端末に接続することで、各データ表示装置から被訓練者の情報を管理端末に送信し、訓練対象者が訓練を受けたか否かを管理端末７６によって管理することができる。また、管理端末から、文書データおよび訓練データを送信し、各データ表示装置の文書データ記憶領域および訓練データ記憶領域を更新することができる。さらに、訓練過程を中断する機能を持たせ、訓練の進捗状況を被訓練者情報とあわせて管理端末７６に送信することで、異なるデータ表示装置において中断した訓練過程を再開することができる。
【００７５】
以上説明したように、この発明にかかるデータ表示装置およびデータ表示方法では、文書データを表示する説明過程に加えて、訓練用画像を表示し、訓練用画像に含まれる不適切な部分を選択させる訓練過程を設けることで、訓練実施者および被訓練者が負担する労力を軽減しつつ、被訓練者の理解を確認し、訓練効果を向上することができる。
【００７６】
なお、本実施の形態では、この発明にかかるデータ表示方法を提供するためにデータ表示装置を構築したが、このデータ表示方法をコンピュータに実行させるプログラムを例えばハードディスクなどのコンピュータ読み取り可能な記録媒体に記録し、この発明にかかるデータ表示方法をコンピュータ上で実現するようにしてもよい。
【００７７】
また、以上の説明における訓練用画像は、被訓練者が実際に作業する作業場所において撮影した画像を用いることができる。実際の作業場所において撮影した画像を用いることで、訓練内容を実際の作業に近づけることができ、訓練効果を向上することができる。
【００７８】
さらに、以上の説明におけるデータ表示装置では、文書データの内容に沿って訓練用画像の表示順を固定していたが、例えば実際の作業現場内を巡回するルートに沿って設定しても良いし、また、作業現場の見取り図などを提示し、不適切な箇所があると思われる地点を任意の順序で選択して確認を行うようにしてもよい。
【００７９】
また、以上の説明におけるデータ表示装置では、全ての被訓練者に同一の訓練用画像を提示していたが、被訓練者情報をもとに、被訓練者に応じて訓練用画像および訓練内容を変更するようにしてもよい。この場合、例えば、異なる作業現場に勤務する被訓練者に、それぞれの作業現場において撮影した訓練用画像を表示することができる。また、被訓練者の職務に応じて訓練内容を変更することができる。
【００８０】
さらに、以上の説明におけるデータ表示装置では、訓練用画像に不適切な箇所を設け、この不適切な場所を指定領域として設定したが、あらかじめテーマを表示した場合などには、訓練用画像から適切な場所を選び出すようにし、適切な場所に指定領域を設けることができる。
【００８１】
また、本実施の形態では、一例として安全教育に関するデータ表示装置について説明したが、本発明は安全教育を目的とするデータ表示装置に限られるものではない。たとえば交通や運転など、視覚情報に基づく判断が求められる状況を仮想的に訓練する場合に広く用いることができる。さらに、人間の動作を撮影した画像を用いることで、動作における問題箇所を認識することができ、運動などのトレーニングに適用することができる。運動トレーニングに本発明を適用する例として、野球の右バッターが左手を上、右手を下にしてバットを持っている画像を表示し、不適切な箇所、すなわちバットを持つ手の部分を選択させることができる。このようにして、本発明を運動フォームのトレーニングに用いることができる。
【００８２】
【発明の効果】
上述してきたように、第１の観点にかかる発明によれば、文書データの表示後に、各文書データに対応する訓練データを読み出して、訓練用データに含まれる訓練用画像を表示することができるので、訓練実施者および被訓練者が負担する労力を軽減しつつ、被訓練者の理解を確認するための訓練データを表示し、訓練効果を向上することができるデータ表示装置を提供することが出来るという効果を奏する。
【００８３】
また、第２の観点にかかる発明によれば、訓練用画像に指定領域を設定し、被訓練者が訓練用画像の指定領域を選択した場合に訓練用画像にかかる訓練が終了したと判定して次の画面に切替えることで、被訓練者の理解を確認することができるので、訓練実施者および被訓練者が負担する労力を軽減しつつ、被訓練者の理解を確認し、訓練効果を向上することができるデータ表示装置を提供することが出来るという効果を奏する。
【００８４】
また、第３の観点にかかる発明によれば、訓練データ記憶手段に複数の訓練用画像を記憶し、被訓練者が訓練用画像の指定領域を選択した場合に訓練用画像にかかる訓練が終了したと判定して次の訓練用画像を表示することで、訓練内容を多様化させることができるので、訓練実施者および被訓練者が負担する労力を軽減しつつ、被訓練者の理解を確認し、訓練効果を向上することができるデータ表示装置を提供することが出来るという効果を奏する。
【００８５】
また、第４の観点にかかる発明によれば、訓練用画像に複数の指定領域を設定し、被訓練者が指定領域の全てを選択した場合に訓練用画像にかかる訓練が終了したと判定してつぎの画面に切替えることで、被訓練者の理解を確認することができるので、訓練実施者および被訓練者が負担する労力を軽減しつつ、被訓練者の理解を確認し、訓練効果を向上することができるデータ表示装置を提供することが出来るという効果を奏する。
【００８６】
また、第５の観点にかかる発明によれば、訓練用画像にかかる訓練が終了したと判定するための終了条件を設定し、被訓練者が訓練用画像内の領域を選択することで終了条件が満たされた場合に訓練用画像にかかる訓練が終了したと判定することで、訓練の難易度を調節することができるので、訓練実施者および被訓練者が負担する労力を軽減しつつ、被訓練者の理解を確認し、訓練効果を向上することができるデータ表示装置を提供することが出来るという効果を奏する。
【００８７】
また、第６の観点にかかる発明によれば、訓練用画像にかかる訓練が終了した場合に、被訓練者情報記憶手段に登録した被訓練者に関する情報を管理端末に送信することで、訓練の実施状況を管理端末によって管理することができるので、訓練実施者および被訓練者が負担する労力を軽減しつつ、被訓練者の理解を確認し、訓練効果を向上することができるデータ表示装置を提供することが出来るという効果を奏する。
【００８８】
また、第７の観点にかかる発明によれば、訓練用画像の指定領域が選択された場合に、被訓練者に訓練用画像に関する解説を表示することで、訓練効果を向上させることができるので、訓練実施者および被訓練者が負担する労力を軽減しつつ、被訓練者の理解を確認し、訓練効果を向上することができるデータ表示装置を提供することが出来るという効果を奏する。
【００８９】
また、第８の観点にかかる発明によれば、文書データの表示後に、各文書データに対応する訓練データを読み出して、訓練用データに含まれる訓練用画像を表示することができるので、訓練実施者および被訓練者が負担する労力を軽減しつつ、被訓練者の理解を確認し、訓練効果を向上することができるデータ表示装置を提供することが出来るという効果を奏する。
【００９０】
また、第９の観点にかかる発明によれば、訓練用画像に指定領域を設定し、訓練者が訓練用画像の指定領域を選択した場合に訓練用画像にかかる訓練が終了したと判定して次の画面に切替えることで、被訓練者の理解を確認することができるので、訓練実施者および被訓練者が負担する労力を軽減しつつ、被訓練者の理解を確認し、訓練効果を向上することができるデータ表示装置を提供することが出来るという効果を奏する。
【００９１】
また、第１０の観点にかかる発明によれば、訓練用画像に複数の指定領域を設定し、被訓練者が指定領域の全てを選択した場合に訓練用画像にかかる訓練が終了したと判定してつぎの画面に切替えることで、被訓練者の理解を確認することができるので、訓練実施者および被訓練者が負担する労力を軽減しつつ、被訓練者の理解を確認し、訓練効果を向上することができるデータ表示装置を提供することが出来るという効果を奏する。
【００９２】
また、第１１の観点にかかる発明によれば、訓練データ記憶手段に複数の訓練用画像を記憶し、被訓練者が訓練用画像の指定領域を選択した場合に訓練用画像にかかる訓練が終了したと判定して次の訓練用画像を表示することで、訓練内容を多様化させることができるので、訓練実施者および被訓練者が負担する労力を軽減しつつ、被訓練者の理解を確認し、訓練効果を向上することができるデータ表示装置を提供することが出来るという効果を奏する。
【００９３】
また、第１２の観点にかかる発明によれば、訓練用画像にかかる訓練が終了した場合に、被訓練者情報記憶手段に登録した被訓練者に関する情報を管理端末に送信することで、訓練の実施状況を管理端末によって管理することができるので、訓練実施者および被訓練者が負担する労力を軽減しつつ、被訓練者の理解を確認し、訓練効果を向上することができるデータ表示装置を提供することが出来るという効果を奏する。
【００９４】
また、第１３の観点にかかる発明によれば、訓練用画像の所定の領域が選択された場合に、被訓練者に訓練用画像に関する解説を表示することで、訓練効果を向上させることができるので、訓練実施者および被訓練者が負担する労力を軽減しつつ、被訓練者の理解を確認し、訓練効果を向上することができるデータ表示装置を提供することが出来るという効果を奏する。
【００９５】
また、第１４の観点にかかる発明によれば、第８〜第１３の観点にかかる発明に記載された方法を、コンピュータ上で実行させることができるので、訓練実施者および被訓練者が負担する労力を軽減しつつ、被訓練者の理解を確認し、訓練効果を向上することができるデータ表示装置を提供することが出来るという効果を奏する。
【図面の簡単な説明】
【図１】この発明の実施の形態であるデータ表示装置の概要構成を示す図である。
【図２】図１に示した訓練データ記憶領域に記憶される訓練データのデータ構造を示す図である。
【図３】図１に示した文書データ表示処理部が構成する説明過程に用いる説明画面を示す図である。
【図４】図１に示した訓練データ表示処理部が構成する訓練過程に用いる訓練画面を示す図である。
【図５】図１に示した訓練データ表示処理部の訓練過程における動作を示すフローチャートである。
【図６】解説データを記憶する場合の訓練データのデータ構造を示す図である。
【図７】訓練用画像の不適切な部分が選択された後に表示する解説画面を示す図である。
【図８】訓練用画像と解説データを同時に表示する場合の訓練画面を示す図である。
【図９】解説データを表示した訓練画面を示す図である。
【図１０】複数の指定領域の全てが選択された場合に訓練用画像にかかる訓練が終了したと判定する場合の訓練データ表示処理部の動作を示すフローチャートである。
【図１１】ネットワーク通信機能を有するデータ表示装置の概要構成を示す図である。
【符号の説明】
１，７１，８１，８４  データ表示装置
２  入力デバイス
３  表示部
１１  入力部
１２，７２  制御部
１３  文書データ表示処理部
１４  訓練データ表示処理部
１５  記憶部
１５ａ  文書データ記憶領域
１５ｂ  訓練データ記憶領域
２１  説明画面
２２  文書データ表示領域
２３  訓練開始ボタン
２４  キャンセルボタン
３１，６１  訓練画面
３２  指示文表示領域
３３，５２，６２  訓練用画像表示領域
３４  指定領域
４１  解説画面
４２  解説文表示領域
４３，５３  解説画像表示領域
６３  解説データ表示領域
７３  被訓練者情報登録部
７４  通信部
７５  ネットワーク
７６  管理端末
１１０，１２０  訓練テーマ
１１１，１１２，１１３，１２１，１２２  訓練用画像
１１１ａ，１１２ａ，１１３ａ，１２１ａ，１２２ａ  指定領域データ
１１１ｂ，１１２ｂ，１１３ｂ，１２１ｂ，１２２ｂ  解説データ
【図１】
0003992494.tif 000002
【図２】
0003992494.tif 000003
【図３】
0003992494.tif 000004
【図４】
0003992494.tif 000005
【図５】
0003992494.tif 000006
【図６】
0003992494.tif 000007
【図７】
0003992494.tif 000008
【図８】
0003992494.tif 000009
【図９】
0003992494.tif 000010
【図１０】
0003992494.tif 000011
【図１１】
0003992494.tif 000012